(57)【要約】    【課題】  引火の危険性が避けられ、清掃対象等における静電気を除去して塵埃の再付着を防ぐことができ、塵埃に対する吸着力に優れると共に、一般家庭でモップ等の清掃具や靴拭マット等に着塵剤を適用して保持させる場合にも均一性のある着塵効果を容易に実現し得る着塵剤の提供。    【解決手段】  グリセリン（日本薬局方準拠）２５重量部、エチレングリコール２５重量部、エタノール３５重量部、脱イオン水１５重量部、及び噴射剤１００重量部を十分に攪拌混合することにより、エアロゾル形態の着塵剤を得た。【選択図】      なし【特許請求の範囲】
【請求項１】
グリセリン類、グリコール類、アルコール類、及び水からなる混合液を主成分とする着塵剤。
【請求項２】
グリセリン類がグリセリンであり、
グリコール類がエチレングリコール、プロピレングリコール又はブチレングリコールであり、
アルコール類がエチルアルコール、プロピルアルコール又はメチルアルコールである請求項１記載の着塵剤。
【請求項３】
上記混合液が、２０−３０重量％のグリセリン類、２０−３０重量％のグリコール類、２０−５５重量％のアルコール類、及び５−４０重量％の水からなるものである請求項１又は２記載の着塵剤。
【請求項４】
アレルゲン低減化剤を含有する請求項１、２又は３記載の着塵剤。
【請求項５】
上記アレルゲン低減化剤が、フェノール性水酸基を有する化合物又は多孔質無機微粒子である請求項４記載の着塵剤。
【請求項６】
上記アレルゲン低減化剤を、上記混合液１００重量部に対し０．１乃至５０重量部含有する請求項４又は５記載の着塵剤。
【請求項７】
噴射剤を含有し、エアロゾル形態をなす請求項１乃至６の何れかに記載の着塵剤。
【発明の詳細な説明】
【技術分野】
【０００１】
本発明は、モップ等の清掃具や靴拭マット等に適用する着塵剤に関する。
【背景技術】
【０００２】
従来、モップ等の清掃具や靴拭マット等に保持させて用いる着塵剤としては、特許第２５７６９３７号公報（特許文献１）に記載された流動パラフィンやイソパラフィン等の親油性（疎水性）液体を主成分とするものが用いられている。このような従来の着塵剤を保有するモップ糸等を床面や家具などの拭き掃除に用いると、着塵剤における親油性液体の粘着力により塵埃を吸着することができ、また、その親油性液体の効果により、モップ糸等が若干の静電気を帯び、塵埃をモップ糸等に取り込み易くなっている。
【０００３】
しかしながら、塵埃に対する親油性液体の吸着力は、必ずしも強いとは言えない。また、親油性液体による静電気の発生量は、使い方によるばらつきが大きい。而も、そのモップ糸等自体に静電気が発生するため、ブラウン管画面やその他の箇所における静電気を除去することができずに塵埃の再付着を引き起こすおそれがある。
【０００４】
更に、従来の着塵剤の主成分である流動パラフィンやイソパラフィン等の親油性液体は、引火の危険性を伴うものであると共に、使用者の手等に付着した場合に洗い流すのが容易でない。
【０００５】
特許第３４１１１０５号公報（特許文献２）には、「プロピレングリコール５０〜７０重量％と水５０〜３０重量％よりなる溶液を主要成分とするダストコントロール剤」の発明が記載されている。
【０００６】
この発明は、有機溶剤または鉱物油を用いた着塵剤の場合における、「清掃後、床などの対象面に油膜が残り、水拭き程度では、除去しきれないため、床面は滑りやすく、汚れやすい。さらに、油膜は黄変や変色する傾向があり、清掃された床面の外観を損なうこともある。」という課題を解決し、モップの軽さ、仕上がり感、効果の持続性、洗浄性が何れも良好な着塵剤を提供しようとするものである。
【０００７】
しかしながら、この着塵剤は、モップ等における着塵効果の持続性や、特に一般家庭で着塵剤をモップ等に適用した場合における着塵効果の均一性において更なる改善の余地があった。
【０００８】
また特開２００３−８１８４２号（特許文献３）には、アレルゲン低減化成分を基材に含浸させてなる清拭シートが開示されており、アレルゲン低減化成分として芳香族ヒドロキシ化合物等が開示され、アレルゲン低減化物質を溶解あるいは分散させる溶媒として、水、アルコール類、炭化水素類、エーテル類、ケトン類、アミド類等が挙げられている。しかしながら、このような溶媒にアレルゲン低減化物質を溶解あるいは分散させたもののモップ等における着塵効果の持続性や、特に一般家庭で着塵剤をモップ等に適用した場合における着塵効果の均一性については、十分なものとは言い得なかった。
【特許文献１】特許第２５７６９３７号公報
【特許文献２】特許第３４１１１０５号公報
【特許文献３】特開２００３−８１８４２号公報
【発明の開示】
【発明が解決しようとする課題】
【０００９】
本発明は、従来技術に存した上記のような課題に鑑み行われたものであって、その目的とするところは、引火の危険性が避けられ、清掃対象等における静電気を除去して塵埃の再付着を防ぐことができ、塵埃に対する吸着力に優れると共に、一般家庭でモップ等の清掃具や靴拭マット等に着塵剤を適用して保持させる場合にも均一性のある着塵効果を容易に実現し得る着塵剤を提供することにある。
【課題を解決するための手段】
【００１０】
上記目的を達成する本発明の着塵剤は、
グリセリン類、グリコール類、アルコール類、及び水からなる混合液を主成分とする。
【００１１】
この着塵剤は、引火の危険性が避けられ、モップ等の清掃具や靴拭マット等の繊維部分に保持させて清掃等に用いた場合、水を含む混合液を主成分としているため清掃対象等における静電気を除去することができるので塵埃の再付着が防がれ、而も塵埃に対する吸着力に優れる。また、一般家庭でモップ等の清掃具や靴拭マット等に着塵剤を保持させる場合、適用後に比較的容易に蒸発するアルコール類を含有することにより、アルコール以外の成分をモップ糸等に均一状に適用することが比較的容易であり、適用後にアルコール類が比較的容易に蒸発することにより、グリセリン類、グリコール類、及び水の成分が、モップ等に比較的均一状に且つ長期にわたり保持される状態となり、均一性のある着塵効果が容易に実現される。
【００１２】
上記着塵剤は、アレルゲン低減化剤を含有するものとすることが好ましい。
【００１３】
また上記着塵剤は、噴射剤を含有し、エアロゾル形態をなすものとすることが好ましい。
【００１４】
この場合、着塵剤がエアロゾル形態をなすため、一般家庭でモップ等の清掃具や靴拭マット等に適用して着塵剤を保持させた場合に、アルコール以外の成分をモップ糸等に均一状に適用することがより容易であり、適用後にアルコール類が比較的容易に蒸発することにより、グリセリン類、グリコール類、及び水の成分（或いは、それら並びにアレルゲン低減化剤）が、モップ等に比較的均一状に且つ長期にわたり保持される状態となり、均一的な着塵効果がより容易に実現される。
【発明の効果】
【００１５】
本発明の着塵剤は、引火の危険性が避けられ、モップ等の清掃具や靴拭マット等の繊維部分に保持させて清掃等に用いた場合、清掃対象等における静電気を除去することができるので塵埃の再付着が防がれ、而も塵埃に対する吸着力に優れる。また、一般家庭でモップ等の清掃具や靴拭マット等に着塵剤を保持させる場合、適用後にアルコール類が比較的容易に蒸発することにより、グリセリン類、グリコール類、及び水の成分が、モップ等に比較的均一状に且つ長期にわたり保持される状態となり、均一的な着塵効果が容易に実現される。
【発明を実施するための最良の形態】
【００１６】
本発明の着塵剤は、グリセリン類、グリコール類、アルコール類、及び水からなる混合液を主成分とするものであり、主成分のみからなるものでもよく、主成分以外の成分を含有するものでもよい。
【００１７】
本発明の着塵剤の主成分においては、モップ等の清掃具や靴拭マット等の繊維部分（例えば、モップ糸、清掃具の不織布、マットのパイル等）に適用して適用後にアルコール類を比較的容易に（例えば１週間程度で）蒸発させ、アルコール以外の成分であるグリセリン類、グリコール類、及び水を比較的均一状に且つ長期にわたり（例えば２０℃、相対湿度２０％で、１年以上）前記繊維部分に保持させる上で、グリセリン類がグリセリンであり、グリコール類がエチレングリコール、プロピレングリコール又はブチレングリコールであり、アルコール類がエチルアルコール、プロピルアルコール又はメチルアルコールであるものが好ましい。また、前記のように保持させる上で、本発明の着塵剤の主成分であるグリセリン類、グリコール類、アルコール類、及び水からなる混合液は、２０−３０重量％のグリセリン類、２０−３０重量％のグリコール類、２０−５５重量％のアルコール類、及び５−４０重量％の水からなるものであることが望ましい。より好ましくは、２０−３０重量％のグリセリン類、２０−３０重量％のグリコール類、４０−５５重量％のアルコール類、及び５−２０重量％の水からなる混合液である。
【００１８】
本発明の着塵剤が含有することが好ましいアレルゲン低減化剤であるフェノール性水酸基を有する化合物の例としては、オリーブ抽出物、柿抽出物、及びその他のポリフェノール、一価のフェノール基を有する単量体を重合又は共重合してなる化合物、その他のフェノール系ポリマーを挙げることができ、多孔質無機微粒子の例としては、ヘクトライト等を挙げることができる。また、本発明に使用し得るアレルゲン低減化剤の他の例として、特開２００３−８１８４２号公報に開示されているその他の各種アレルゲン低減化成分を挙げることができる。
【００１９】
本発明の着塵剤の主成分を構成する各液体としては、日本薬局方及び食品添加物に使用可能なもの、工業用であるもの等、種々ものを用いることが可能である。
【００２０】
本発明の着塵剤は、上記主成分以外に、本発明の効果を実質上阻害することのない範囲で、各種添加剤等（例えば、防腐剤、除菌剤、抗菌剤等）を配合することができる。
【００２１】
本発明の着塵剤が噴射剤を含有し、エアロゾル形態をなすものである場合、噴射剤は、全重量の２０乃至６０重量％、好ましくは３０乃至５０重量％であるものとすることができる。
【００２２】
本発明の着塵剤がエアロゾル形態をなす場合における噴射剤としては、本発明の効果を実質上阻害することのないものを用いることができる。噴射剤の例としては、窒素、ジメチルエーテル（DＭＥ）、二酸化炭素、一酸化二窒素、プロパン、ブタン類(イソブタン)、ペンタン、イソペンタン、ネオペンタン、これらのうち２以上のものの混合物、並びに、１,１−ジフルオロエタン、ジクロロテトラフルオロエタン、モノクロロジフルオロメタン、ジクロロジフルオロメタン、モノクロロジフルオロエタン、これらのうち２以上のものの混合物を挙げることができる。
【００２３】
本発明の着塵剤は、例えば塗布やスプレー等によってモップ等の清掃具や靴拭マット等に適用してそれらの繊維部分に保持させ、床や家具の清掃及び靴に付着した土粒子や塵埃の捕捉に用いることができる。
【実施例】
【００２４】
次に本発明を更に詳細に説明するが、本発明がこれらによって限定されるものでないことは言うまでもない。
【００２５】
１．着塵試験
【００２６】
着塵剤の製造
【００２７】
グリセリン（日本薬局方準拠）２５重量部、エチレングリコール２５重量部、エタノール３５重量部、脱イオン水１５重量部、及び噴射剤１００重量部を十分に攪拌混合することにより、エアロゾル形態の着塵剤例１を得た。
【００２８】
一方、流動パラフィン（日本薬局方準拠）１００部及び噴射剤１００重量部を十分に攪拌混合して得たエアロゾル形態の着塵剤を比較着塵剤例１とした。
【００２９】
着塵試験
【００３０】
(1)清掃布
【００３１】
不織布（縦横：20cm×30cm、目付重量：50g/m2、組成：レーヨン60重量％，ポリエチレンテレフタレート[PET]40重量％）の表裏に、着塵剤例１を 0.2gずつスプレー塗布し、室温で１週間放置したものを清掃布例１とした。
【００３２】
一方、前記と同じ不織布の表裏に比較着塵剤例１を 0.2gずつスプレー塗布し、室温で１週間放置したものを比較清掃布例１とした。
【００３３】
(2)試験方法
【００３４】
ファスナー付のポリエチレン製袋（13.3cm×20.3cm）中に、擬似花粉（石松子）0.1g と 7cm×7cmに裁断した清掃布例１及び比較清掃布例１をそれぞれ１枚入れ、100回（１回/秒）振った。その後、清掃布例１及び比較清掃布例１を取り出し、一端を摘んで軽く振った後、顕微鏡を用い、各清掃布における縦横１ｍｍの面積内に付着している擬似花粉数を計数した。
【００３５】
(3)結果
【００３６】
縦横１ｍｍの面積内に付着している擬似花粉数は、清掃布例１において１２０個、比較清掃布例１において５０個であった。
【００３７】
２．アレルゲン低減化着塵試験
【００３８】
アレルゲン低減化着塵剤の製造
【００３９】
グリセリン（日本薬局方準拠）２５重量部、エチレングリコール２５重量部、エタノール３５重量部、脱イオン水１５重量部、アレルゲン低減化剤（フェノール系ポリマーとアニオン系界面活性剤を主成分とする液剤、商品名：ＳＰＡ−Ｓ、積水化学工業社製）１０部及び噴射剤１１０重量部を十分に攪拌混合することにより、エアロゾル形態のアレルゲン低減化着塵剤例１を得た。
【００４０】
一方、流動パラフィン（日本薬局方準拠）１０部、アレルゲン低減化剤（商品名：ＳＰＡ−Ｓ、積水化学工業社製）１０部及び噴射剤１１０重量部を十分に攪拌混合して得たエアロゾル形態の着塵剤をアレルゲン低減化比較着塵剤例１とした。
【００４１】
アレルゲン低減化試験
【００４２】
(1)清掃布
【００４３】
不織布（縦横：20cm×30cm、目付重量：50g／m2、組成：レーヨン60重量％，ポリエチレンテレフタレート[PET]40重量％）の表裏に、アレルゲン低減化着塵剤例１を 0.1gずつスプレー塗布し、室温で１週間放置したものをアレルゲン低減化清掃布例１とした。
【００４４】
前記と同じ不織布の表裏にアレルゲン低減化比較着塵剤例１を 0.1gずつスプレー塗布し、室温で１週間放置したものをアレルゲン低減化比較清掃布例１とした。
【００４５】
前記と同じ不織布をそのまま室温で１週間放置したものをアレルゲン低減化比較清掃布例２とした。
【００４６】
(2)試験方法
【００４７】
ヤケヒョウヒダニ抽出物Mite Extract Dp 10mg（LSL社製）にイオン交換水5mLを加えたものをPBS緩衝液で100倍希釈して20μg／mLのアレルゲン溶液を調製した。
【００４８】
上記アレルゲン低減化清掃布例１、アレルゲン低減化比較着塵剤例１、及びアレルゲン低減化比較清掃布例２の各５ｃｍ角を、それぞれアレルゲン溶液3.5mLと共に試験管に入れて各清掃布がアレルゲン溶液に浸漬した状態とした。これらの試験管を、振とう培養器（37℃, 100rpm）中で一晩振とうした。
【００４９】
翌日、ダニ検査用マイティチェッカー（ダニ簡易検査キットの商品名、シントーファイン社製）を用いて、各清掃布が浸漬した溶液についてアレルゲン性を判定した。
なお、一般的な家庭の通常の床面に存在するアレルゲンの総量の目安は、50畳×1.62（m２／畳）×100ng／m２×2（Der1とDer2量がほぼ等しくあるとする）= 16.2μgとされている。
【００５０】
(3)結果
各清掃布が浸漬した溶液についてのアレルゲン性判定結果は次のとおりであった。
アレルゲン低減化清掃布例１：１μｇ／ｍ２以下
アレルゲン低減化比較着塵剤例１：３５μｇ／ｍ２以上
アレルゲン低減化比較清掃布例２：３５μｇ／ｍ２以上